(57)【要約】      （修正有）【課題】消防士または他の緊急隊員によって着用されるタイプの安全ヘルメットに取り付けるためのアイプロテクタを提供すること。【解決手段】この安全ヘルメット１０は鍔部１４を有し、アイプロテクタ１６は、鍔部１４に取り付けられたブラケット２０と、鍔部１４に沿って延びる収納位置と着用者の目を保護するように鍔部１４から下方に延びる使用位置との間で移動可能なアイシールド１８と、収納位置と使用位置との間で移動するようにアイシールド１８を取付けブラケット２０に接続するヒンジ２２と、収納位置からおよび使用位置からのアイシールド１８の移動を阻止するようにアイシールド１８および取付けブラケット２０に係合するばねと、このばねから離間した場所でアイシールド１８に係合する、収納位置においてアイシールド１８を鍔部１４に向かって付勢する力をアイシールド１８に加える少なくとも１つのねじり応力付与部材とを含む。【選択図】図１
2010203031.tif 000002
【特許請求の範囲】
【請求項１】
消防士または他の緊急隊員による使用を目的とし鍔部を有する安全ヘルメットに取り付け可能なアイプロテクタであって、
前記鍔部に取り付けられた取付けブラケットと、
前記鍔部に沿って延びる収納位置と、着用者の前記目を保護するように前記鍔部から下方に延びる使用位置との間を移動可能なアイシールドと、
前記収納位置と前記使用位置との間で移動するように前記アイシールドを前記取付けブラケットに接続するヒンジと、
前記収納位置からおよび前記使用位置からの前記アイシールドの移動を阻止するように前記アイシールドおよび前記取付けブラケットに係合されたばねと、
前記ばねから離間した場所で前記アイシールドに係合された少なくとも１つのねじり応力付与部材であって、前記収納位置において前記アイシールドを前記鍔部に向かって付勢する力を前記アイシールドに加える少なくとも１つのねじり応力付与部材とを備える、アイプロテクタ。
【請求項２】
前記ばねが、前記アイシールドに固定されたばねブラケットから延びる片持ちばねである、請求項１に記載のアイプロテクタ。
【請求項３】
前記取付けブラケットが、ボスと係合するばねを備え、前記片持ちばねが、前記使用位置と前記収納位置の両方で、前記これらの位置からの前記アイシールドの移動を阻止するように前記ボスに係合する、請求項２に記載のアイプロテクタ。
【請求項４】
ばねブラケットの取付け基部によって前記アイシールドに固定されたばねブラケットをさらに備え、前記少なくとも１つのねじり応力付与部材が、前記ばねブラケットの前記取付け基部から末端に延びる前記ばねブラケットの一体型の部品を備える、請求項１に記載のアイプロテクタ。
【請求項５】
前記取付け基部が、平面を画定し、前記末端が、拘束されていない状態では前記平面に対してねじれ、前記アイシールドに取り付けられた前記ばねブラケットにより拘束された状態では前記平面と整列し、請求項４に記載のアイプロテクタ。
【請求項６】
前記ヒンジが、前記アイシールドの旋回軸を画定し、前記一体型の部品が、前記取付け基部から前記旋回軸に平行に延びる、請求項４に記載のアイプロテクタ。
【請求項７】
前記ばねが、前記ばねブラケットの一体型の部品であり、前記旋回軸に垂直に延びる、請求項６に記載のアイプロテクタ。
【請求項８】
前記少なくとも１つのねじり応力付与部材が、前記ばねおよび前記末端から離間した場所で前記アイシールドと前記取付けブラケットとの間に係合する螺旋ねじりばねをさらに備える、請求項４に記載のアイプロテクタ。
【請求項９】
前記少なくとも１つのねじり応力付与部材が、前記アイシールドと前記取付けブラケットとの間に係合する螺旋ねじりばねである、請求項２に記載のアイプロテクタ。
【請求項１０】
前記螺旋ねじりばねが、前記ヒンジから延びるピン上に取り付けられる、請求項９に記載のアイプロテクタ。
【請求項１１】
消防士または他の緊急隊員による使用を目的とし鍔部を有する安全ヘルメットに取り付け可能なアイプロテクタであって、
前記鍔部に取り付けられた取付けブラケットと、
前記鍔部に沿って延びる収納位置と、着用者の前記目を保護するように前記鍔部から下方に延びる使用位置との間を移動可能なアイシールドと、
前記収納位置と前記使用位置との間で移動するように前記アイシールドを前記取付けブラケットに接続するヒンジと、
前記アイシールドに固定されたばねブラケットであって、
前記収納位置からおよび前記使用位置からの前記アイシールドの動きを阻止するように前記取付けブラケットに係合されたばねと、
前記ばねから離間した場所で前記アイシールドに係合されたねじり応力付与部材であって、前記収納位置において前記アイシールドを前記鍔部に向かって付勢する力を前記アイシールドに加えるねじり応力付与部材とを備えるばねブラケットとを備える、アイプロテクタ。
【請求項１２】
前記ばねが、前記ばねブラケットから延びる片持ちばねである、請求項１１に記載のアイプロテクタ。
【請求項１３】
前記ねじり応力付与部材が、前記ばねブラケットの前記取付け基部から末端に延びる前記ばねブラケットの一体型の部品である、請求項１１に記載のアイプロテクタ。
【請求項１４】
前記取付け基部が、平面を画定し、前記末端が、拘束されていない状態では前記平面に対してねじれ、前記アイシールドに取り付けられた前記ばねブラケットにより拘束された状態では前記平面に整列する、請求項１３に記載のアイプロテクタ。
【請求項１５】
前記ヒンジが、前記アイシールドの旋回軸を画定し、前記ねじり応力付与部材が、前記取付け基部から前記旋回軸に平行に延びる、請求項１４に記載のアイプロテクタ。
【請求項１６】
前記収納位置において前記アイシールドを前記鍔部に向かって付勢する力を前記アイシールドに加えるように、前記ばねブラケットから離間した場所で前記アイシールドと前記取付けブラケットとの間に係合する別のねじり応力付与部材をさらに備える、請求項１１に記載のアイプロテクタ。
【請求項１７】
消防士または他の緊急隊員による使用を目的とし鍔部を有する安全ヘルメットに取り付け可能なアイプロテクタであって、
前記鍔部に取り付けられた取付けブラケットと、
前記鍔部に沿って延びる収納位置と、着用者の前記目を保護するように前記鍔部から下方に延びる使用位置との間を移動可能なアイシールドと、
前記収納位置と前記使用位置との間で移動するように前記アイシールドを前記取付けブラケットに接続するヒンジと、
前記収納位置からおよび前記使用位置からの前記アイシールドの移動を阻止するように前記アイシールドおよび前記取付けブラケットに係合されたばねと、
前記ばねから離間した場所で前記アイシールドに係合されたねじり応力付与部材であって、前記収納位置において前記アイシールドを前記鍔部に向かって付勢する力を前記アイシールドに加える螺旋ねじりばねを備えるねじり応力付与部材とを備える、アイプロテクタ。
【請求項１８】
前記螺旋ねじりばねが、前記アイシールドと前記ブラケットとの間にトルクを伝えるように、前記アイシールドに係合する第１脚部と、前記取付けブラケットに係合する第２脚部とを備える、請求項１７に記載のアイプロテクタ。
【請求項１９】
前記螺旋ねじりばねが、前記ヒンジから延びるピン上に取り付けられる、請求項１７に記載のアイプロテクタ。
【請求項２０】
前記収納位置において前記アイシールドを前記鍔部に向かって付勢する力を前記アイシールドに加えるように前記複数のばねとの間の場所で前記アイシールドと前記取付けブラケットとの間に係合する別のねじり応力付与部材をさらに備える、請求項１４に記載のアイプロテクタ。
【発明の詳細な説明】
【技術分野】
【０００１】
関連出願の相互参照
該当なし。
連邦政府による資金提供を受けた研究開発
該当なし。
マイクロフィッシュ／著作権の参照
該当なし。
【０００２】
本発明は、消防士または他の緊急救助隊員用のヘルメットと共に使用することを目的とするアイプロテクタに関する。
【背景技術】
【０００３】
一般に、消防士用のヘルメット、または工員、化学産業労働者、もしくは緊急救助隊員用のヘルメットはクラウン部と鍔部とを有し、この鍔部はクラウン部から前方へ突出しており、クラウン部から他の方向に突出してもよい。多くの場合に、ヘルメットは１対のアイシールドを、着用者のそれぞれの目に１つ装備し、この１対のアイシールドのそれぞれは、収納位置と使用位置との間で手動で移動するように適合される。アイシールドは、使用位置では、アイシールドの前面に当たる火の粉、液体、粒子、および他の物体から着用者の所与の目を保護するように下方に突出するが、収納位置では突出しない。
【０００４】
前段落に記載されているアイシールドの例が、Ｌｅｓｔｅｒ  Ｔ．Ｂｏｕｒｋｅの米国特許第３，３８３，１５５号に開示されている。その開示が参照により本明細書に組み込まれる米国特許第３，３８３，１５５号に開示されるように、１対のアイシールドのそれぞれは、ヘルメットのクラウン部から前方に突出する鍔部の下でヘルメットに取り付けられ、１対のアイシールドのそれぞれは収納位置と使用位置との間で手動で動かされるように適合され、収納位置と使用位置のどちらでも安定する。類似のアイシールドが、Ｄａｙｔｏｎ、ＯｈｉｏのＭｏｒｎｉｎｇ  Ｐｒｉｄｅ  Ｍａｎｕｆａｃｔｕｒｉｎｇ，Ｌ．Ｌ．Ｃ．を含む種々の供給源から市販されている。これらのシールドはその使用目的について十分な性能を示すが、常に改善の余地がある。
【先行技術文献】
【特許文献】
【０００５】
【特許文献１】米国特許第３，３８３，１５５号
【特許文献２】米国特許出願第１２／１５７，４８３号
【特許文献３】米国特許出願第１２／１５７，４８５号
【特許文献４】米国特許出願第１２／１５７，５３９号
【発明の概要】
【発明が解決しようとする課題】
【０００６】
多くの場合に救助隊員によって経験される高温は、このようなアイシールドが直面する１つの課題であり、収納位置と使用位置の両方でアイシールドに影響を及ぼす可能性がある。この点に関して、いくつかの状況では、アイシールドが、温度上昇を受けると共に、収納位置に配置されるときに救助隊員の視野を妨げないことが望ましい。
【課題を解決するための手段】
【０００７】
本発明の１つの特徴によれば、消防士または他の緊急隊員による使用を目的とする、安全ヘルメットに取り付け可能なアイプロテクタが提供される。この安全ヘルメットは鍔部を有し、アイプロテクタは、鍔部に取り付けられた取付けブラケットと、鍔部に沿って延びる収納位置と着用者の目を保護するように鍔部から下方に延びる使用位置との間で移動可能なアイシールドと、収納位置と使用位置との間で移動するようにアイシールドを取付けブラケットに接続するヒンジと、収納位置からおよび使用位置からのアイシールドの動きを阻止するようにアイシールドおよび取付けブラケットに係合するばねと、このばねから離間した場所でアイシールドに係合する少なくとも１つのねじり応力付与部材とを含む。この少なくとも１つのねじり応力付与部材は、収納位置においてアイシールドを鍔部に向かって付勢する力をアイシールドに加える。
【０００８】
１つの特徴として、ばねは、アイシールドに固定されたばねブラケットから延びる片持ちばねである。
１つの特徴によれば、取付けブラケットは、ボスと係合するばねを含み、片持ちばねは、使用位置と収納位置の両方で、これらの位置からのアイシールドの移動を阻止するためにボスに係合する。
【０００９】
１つの特徴では、アイプロテクタは、取付け基部によってアイシールドに固定されたばねブラケットをさらに含み、少なくとも１つのねじり応力付与部材は、ばねブラケットの取付け基部から末端に延びるばねブラケットの一体型の部品を含む。
【００１０】
１つの特徴によれば、取付け基部は平面を画定し、末端は、拘束されていない状態では平面に対してねじれ、アイシールドに取り付けられたばねブラケットにより拘束された状態では平面と整列する。
【００１１】
１つの特徴として、ヒンジはアイシールドの旋回軸を画定し、一体型の部品は、取付け基部から旋回軸に平行に延びる。
１つの特徴では、ばねは、ばねブラケットの一体型の部品であり、旋回軸に垂直に延びる。
【００１２】
１つの特徴によれば、少なくとも１つのねじり応力付与部材は、ばねおよび末端から離間した場所でアイシールドと取付けブラケットとの間に係合する螺旋ねじりばねをさらに含む。
【００１３】
１つの特徴では、少なくとも１つのねじり応力付与部材は、アイシールドと取付けブラケットとの間に係合する螺旋ねじりばねである。
１つの特徴として、螺旋ねじりばねは、ヒンジから延びるピン上に取り付けられる。
【００１４】
本発明の１つの特徴によれば、消防士または他の緊急隊員による使用を目的とする、安全ヘルメットに取り付け可能なアイプロテクタが提供される。この安全ヘルメットは鍔部を有し、アイプロテクタは、鍔部に取り付けられた取付けブラケットと、鍔部に沿って延びる収納位置と着用者の目を保護するように鍔部から下方に延びる使用位置との間で移動可能なアイシールドと、収納位置と使用位置との間で移動するようにアイシールドを取付けブラケットに接続するヒンジと、アイシールドに固定されたばねブラケットとを含む。このばねブラケットは、収納位置からおよび使用位置からのアイシールドの移動を阻止するように取付けブラケットに係合されたばねと、このばねから離間した場所でアイシールドに係合されたねじり応力付与部材であって、収納位置においてアイシールドを鍔部に向かって付勢する力をアイシールドに加えるねじり応力付与部材とを含む。
【００１５】
１つの特徴では、ねじり応力付与部材は、ばねブラケットの取付け基部から末端に延びるばねブラケットの一体型の部品である。
１つの特徴によれば、ヒンジは、アイシールドの旋回軸を画定し、ねじり応力付与部材は、取付け基部から旋回軸に平行に延びる。
【００１６】
１つの特徴では、アイプロテクタは、収納位置においてアイシールドを鍔部に向かって付勢する力をアイシールドに加えるように、ばねブラケットから離間した場所でアイシールドと取付けブラケットとの間に係合された別のねじり応力付与部材をさらに含む。
【００１７】
本発明の１つの特徴によれば、消防士または他の緊急隊員による使用を目的とする、安全ヘルメットに取り付け可能なアイプロテクタが提供される。この安全ヘルメットは鍔部を有し、アイプロテクタは、鍔部に取り付けられた取付けブラケットと、鍔部に沿って延びる収納位置と着用者の目を保護するように鍔部から下方に延びる使用位置との間で移動可能なアイシールドと、収納位置と使用位置との間で移動するためにアイシールドを取付けブラケットに接続するヒンジと、収納位置からおよび使用位置からのアイシールドの移動を阻止するようにアイシールドおよび取付けブラケットに係合するばねと、このばねから離間した場所でアイシールドに係合するねじり応力付与部材とを含む。このねじり応力付与部材は、収納位置においてアイシールドを鍔部に向かって付勢する力をアイシールドに加える螺旋ねじりばねを含む。
【００１８】
１つの特徴として、螺旋ねじりばねは、アイシールドとブラケットとの間にトルクを伝えるように、アイシールドに係合する第１脚部と、取付けブラケットに係合する第２脚部とを備える。
【００１９】
１つの特徴では、アイプロテクタは、収納位置においてアイシールドを鍔部に向かって付勢する力をアイシールドに加えるように、複数のばねの間の場所でアイシールドと取付けブラケットとの間に係合された別のねじり応力付与部材を含む。
【００２０】
本発明のその他の目的、特徴、および利点は、添付の特許請求の範囲および図面を含めて、明細書全体を検討すれば明らかになるであろう。
【図面の簡単な説明】
【００２１】
【図１】本発明を具体化したアイプロテクタを装備したヘルメットの前面に向かって上向きに見る部分斜視図である。
【図２】アイプロテクタのアイシールドが使用位置で示された、下方から図１のアイプロテクタの一実施形態の背面への斜視図である。
【図３】ヘルメットの鍔部を破線で示す、図２の線３−３から得られた、若干拡大した図である。
【図４】図３に類似しているが、収納位置におけるアイシールドを示す図である。
【図５】図１〜４のアイプロテクタのばねブラケットの斜視図である。
【図６】図５の線６−６から得られた図である。
【図７】図５のばねブラケットの平面図である。
【図８】図５の線８−８から得られた図である。
【図９】収納位置におけるアイプロテクタのアイシールドを示す、図２の線９−９から得られた、若干拡大した図である。
【図１０】下方から図１のアイプロテクタの一代替実施形態の背面への斜視図である。
【発明を実施するための形態】
【００２２】
図１に示されるように、消防士または他の緊急隊員によって着用されるタイプの安全ヘルメット１０は、クラウン部１２と、このクラウン部１２の下部から前方および側方に突出する鍔部１４とを有する。アイプロテクタ１６は、収納位置と使用位置との間で手動で移動するように取付けブラケット２０によって鍔部１４の下側に取り付けられた１対の透明なアイシールド１８の形でヘルメット１０の上に設けられる。これらのシールド１８は図１では使用位置で示されており、各シールド１８は、火の粉、液体、粒子、および他のこのような物体から着用者の目を保護するように鍔部１４から下方に延び、これらの物体は着用者の目ではなくシールド１８の前面に当たる。収納位置では、シールド１８のそれぞれは、図１に破線で示されるように、鍔部１４に沿って前方にかつ鍔部１４の下に突出する。
【００２３】
図２の２２で全体を示すように、ヒンジ２２は、収納位置と使用位置との間で移動するように各アイシールド１８をブラケット２０に旋回可能に接続するために設けられる。図示の実施形態では、各ヒンジ２２は、対応するアイシールド１８および取付けブラケット２０の上にそれぞれ設けられた複数のジャーナルボス２４および２６によって画定され、ボス２４および２６はそれぞれ、ヒンジ軸２９に沿って延びるヒンジピン２８を受ける円筒形ジャーナル開口を有する。この点に関して、好ましい形態が示されているが、いくつかの応用例では、他の適切なタイプのヒンジ連結部を利用することが望ましい場合がある。この例のいくつかが、前述した米国特許第３，３８３，１５５号に示されており、本願の権利者が所有する米国特許出願第１２／１５７，４８３号、第１２／１５７，４８５号、および第１２／１５７，５３９号にも示されている。これらの出願はすべて、Ｔｈｏｍａｓ  Ｈ．Ｓｔａｃｈｌｅｒらを発明者として示した、２００８年６月１１日出願の「Ｅｙｅ  Ｐｒｏｔｅｃｔｏｒｓ（アイプロテクタ）」という名称の出願であり、その開示全体が参照により本明細書に組み込まれる。
【００２４】
図２を参照すると、アイプロテクタ１６は１対のばねブラケット３０をさらに含み、一方のばねブラケット３０が一方のアイシールド１８に固着され、他方のばねブラケット３０が他方のアイシールド１８に固着されることが理解されよう。各ブラケット３０をその対応するアイシールド１８に固設するために、リベット３２などの適切な留め具が使用される。好ましくは、ばねブラケット３０は平坦な取付け基部部分３４を有する一体型の構成部品であり、この取付け基部３４から片持ちばね３６およびねじり応力付与部材３８が延びる。ばね３６は、取付け基部３４からヒンジ軸２９に垂直に延び、図３に示される使用位置からのアイシールド１８の移動を阻止するために取付けブラケット２０のボス２６の１つに係合し、また、図４に示される収納位置からのアイシールド１８の移動を阻止するためにも、このボス２６に係合する。図２に最もよく示されるように、ねじり応力付与部材３８は基部３４からヒンジ軸２９に平行に延び、対応するアイシールド１８に、ねじり応力付与部材３８の全長にわたって係合する。後でより詳しく説明されるように、ねじり応力付与部材３８は、アイシールド１８を鍔部１４に向かって付勢する力をアイシールド１８に加え、アイシールド１８が収納位置を取る。いかなる適切な構造および材料を使用してもよいが、ばねブラケット３０は、型打ち板金、好ましくはばね鋼から形成されることが好ましい。
【００２５】
図５〜８に最もよく示されるように、拘束されていない状態では、取付け基部３４は好ましくは、平坦で、ブラケット３０のための平面４０を画定する。図６に最もよく示されるように、ばね３６はまた好ましくは、平坦で、対応するアイシールド１８を収納位置または使用位置のいずれかから動かすために必要な所望の力を含め、各特定の応用例の要件に応じて、図示のように拘束されていない状態で平面４０に対して傾斜してもよく、拘束されていない状態で平面４０に平行（図示せず）であってもよい。ねじり応力付与部材３８の末端４２は、図６に最もよく示されるように、拘束されていない状態では平面４０に対して傾斜すなわちねじれているが、図９に最もよく示されるように、アイシールド１８に取り付けられたばねブラケット３０により拘束された状態では、平面４０と整列される。図８に最もよく示されるように、このねじれはねじり応力付与部材３８の全長にわたって延び、ねじれは末端４２において最大量に達し、ねじり応力付与部材３８と取付け基部３４との間の接合部４４において最小量になる。ばねブラケット３０をアイシールド１８に取り付けるときにねじり応力付与部材３８の末端４２を平面４０と強制的に整列させることによって、反力が、対応するアイシールド１８を介して伝えられ、ねじり応力付与部材３８を変形させて整列させることが理解されよう。収納された位置においてアイシールド１８を鍔部１４に向かって付勢し、より具体的には、収納位置においてばね３６から遠くのアイシールド１８の一部分を鍔部１４に向かって付勢するのは、この反力（図９では矢印「Ａ」で示される）である。各特定の応用例の要件によっては、末端４２に所望されるねじれの量が各応用例の特定の要件に強く依存し、一般に、ばねブラケット３０の所与の材料厚さについては、拘束されていない状態のねじれが大きいほど、力「Ａ」が大きくなることが理解されよう。また、図３〜９は一方のばねブラケット３０を示しているが、他方のばねブラケット３０は「鏡」像であり、拘束されていない条件で、ねじり応力付与部材３８のねじれが、部材３８の、ヒンジ軸２９に最も近い長手方向端部４６を付勢して、対応するアイシールド１８から遠ざけることも理解されよう。
【００２６】
ねじり応力付与部材３８の代わりに、またはねじり応力付与部材３８に加えて、収納位置において対応するアイシールド１８を鍔部に向かって付勢する別のねじり応力付与部材を設けてもよい。１つの可能性が図１０に示されている。同図では、螺旋ねじりばね５０が設けられており、ボス２４の１つをアイシールド１８から除去することによって露出されたヒンジピン２８の延長部上に取り付けられる。この螺旋ねじりばね５０は、収納位置においてアイシールド１８を鍔部１４に向かって付勢するトルクをブラケット２０とアイシールド１８との間に伝えるように、ばねブラケット３０から離間した場所でアイシールド１８と係合する脚部５２をねじりばね５０の一端に、取付けブラケット２０と係合する脚部５４（破線で示される）を螺旋ばね５０の反対の端に有する。螺旋ねじりばね５０の１つの特定の構造が図示されているが、いかなる適切な構造を使用してもよく、その詳細は各応用例の要件に強く依存することを理解されたい。また、螺旋ねじりばね５０は、ねじり応力付与部材３８を有するばねブラケット３０と共に使用されてもよいし、いくつかの応用例では、ねじり応力付与部材３８を含まないばねブラケット３０と共に使用されてもよいことも理解されたい。この点に関して、ねじり応力付与部材３８を形成するブラケット３０の延長部は、アイシールド１８にさらなる支持を提供するように引き続き含まれてもよいが、平面４０に対する末端４２のねじれは除去してもよい。
【符号の説明】
【００２７】
１０  安全ヘルメット
１２  クラウン部
１４  鍔部
１６  アイプロテクタ
１８  アイシールド
２０  取付けブラケット
２２  ヒンジ
２４  ジャーナルボス
２６  ジャーナルボス
２８  ヒンジピン
２９  ヒンジ軸
３０  ばねブラケット
３２  リベット
３４  取付け基部部分
３６  片持ちばね
３８  ねじり応力付与部材
４０  平面
４２  末端
４４  ねじり応力付与部材と取付け基部部分との間の接合部
４６  ねじり応力付与部材の長手方向端部
５０  螺旋ねじりばね
５２  脚部
５４  脚部
【図１】
2010203031.tif 000003
【図２】
2010203031.tif 000004
【図３】
2010203031.tif 000005
【図４】
2010203031.tif 000006
【図５】
2010203031.tif 000007
【図６】
2010203031.tif 000008
【図７】
2010203031.tif 000009
【図８】
2010203031.tif 000010
【図９】
2010203031.tif 000011
【図１０】
2010203031.tif 000012
【外国語明細書】
2010203031000001.pdf